(57)【特許請求の範囲】
【請求項１】
基板と、
前記基板の主面に取り付けられる太陽電池と、
前記太陽電池から電力が供給され、前記基板の前記主面に対する裏面に取り付けられるアンテナとを備え、
前記アンテナは、表面視において、前記太陽電池のセルと重ならないように配置され、
前記基板には、前記太陽電池と電気的に接続した第１の入力端子および第２の入力端子と第１の出力端子および第２の出力端子とが設けられ、
前記太陽電池は、
受光面となる第１の透明基板と、
前記第１の透明基板と対向し、前記第１の透明基板の表面に積層される第２の透明基板と、
前記第１の透明基板の前記第２の透明基板側に配された透明導電膜とを備え、
前記第１の出力端子および前記第２の出力端子は、前記透明導電膜が露出した部分で形成されている、太陽電池ユニット。
【請求項２】
前記請求項１に記載の太陽電池ユニットを備えた、無線発信機。
【請求項３】
前記請求項１に記載の太陽電池ユニットを収容する筺体を備え、
前記筐体は、前記基板の側面の一部を挟持し、
前記筐体が前記基板の側面の一部を挟持している方向を水平方向とし、前記水平方向と直角に交差する方向を鉛直方向として、前記アンテナは、前記鉛直方向において前記筐体が前記基板の側面を挟持している位置よりも低い位置にあり、
前記基板の側面と、前記筐体の内壁と、の間に空間を有する、請求項２に記載の無線発信機。
【請求項４】
前記請求項１に記載の太陽電池ユニットを収容する筺体を備え、
前記筐体は、前記基板の側面の一部を挟持し、
前記筐体が前記基板の側面の一部を挟持している方向を第１方向とし、前記第１方向と直角に交差する方向を第２方向として、前記アンテナは、前記第２方向において前記基板の第１端側に設けられ、
前記筐体が前記基板の側面を挟持している位置は、前記アンテナよりも前記基板の第１端と反対に位置する第２端側に位置し、
前記基板の側面と、前記筐体の内壁と、の間に空間を有する、請求項２に記載の無線発信機。
【請求項５】
前記基板は略方形であって、
前記第２方向における基板の長さをＷとした場合、
前記アンテナは、第１端から１／３Ｗまでの範囲に配置されている、請求項４に記載の無線発信機。
【請求項６】
前記基板は略方形であって、
前記第２方向における基板の長さをＷとした場合、
前記基板が挟持される位置は、前記第２端から１／２Ｗまでの範囲に配置されている、請求項４または５に記載の無線発信機。
【請求項７】
前記筐体に挟持されている前記基板の側面は摺動可能である、請求項３から６のいずれか１項に記載の無線発信機。
【請求項８】
前記筺体は、前記太陽電池の受光面を露出する開口部を有し、
前記開口部の開口面積は、前記太陽電池の前記受光面の受光面積よりも大きく、前記基板の面積よりも小さい、請求項３から請求項７のいずれか１項に記載の無線発信機。
【請求項９】
基板と、
前記基板の主面に取り付けられる太陽電池と、
前記太陽電池から電力が供給され、前記基板の前記主面に対する裏面に取り付けられるアンテナとを備え、
前記アンテナは、表面視において、前記太陽電池のセルと重ならないように配置される、太陽電池ユニットと、
前記太陽電池ユニットを収容する筺体を備え、
前記筐体は、前記基板の側面の一部を挟持し、
前記筐体が前記基板の側面の一部を挟持している方向を水平方向とし、前記水平方向と直角に交差する方向を鉛直方向として、前記アンテナは、前記鉛直方向において前記筐体が前記基板の側面を挟持している位置よりも低い位置にあり、
前記基板の側面と、前記筐体の内壁と、の間に空間を有する、無線発信機。
【請求項１０】
基板と、
前記基板の主面に取り付けられる太陽電池と、
前記太陽電池から電力が供給され、前記基板の前記主面に対する裏面に取り付けられるアンテナとを備え、
前記アンテナは、表面視において、前記太陽電池のセルと重ならないように配置される、太陽電池ユニットと、
前記太陽電池ユニットを収容する筺体を備え、
前記筐体は、前記基板の側面の一部を挟持し、
前記筐体が前記基板の側面の一部を挟持している方向を第１方向とし、前記第１方向と直角に交差する方向を第２方向として、前記アンテナは、前記第２方向において前記基板の第１端側に設けられ、
前記筐体が前記基板の側面を挟持している位置は、前記アンテナよりも前記基板の第１端と反対に位置する第２端側に位置し、
前記基板の側面と、前記筐体の内壁と、の間に空間を有する、無線発信機。
【請求項１１】
前記基板は略方形であって、
前記第２方向における基板の長さをＷとした場合、
前記アンテナは、第１端から１／３Ｗまでの範囲に配置されている、請求項１０に記載の無線発信機。
【請求項１２】
前記基板は略方形であって、
前記第２方向における基板の長さをＷとした場合、
前記基板が挟持される位置は、前記第２端から１／２Ｗまでの範囲に配置されている、請求項１０または１１に記載の無線発信機。
【請求項１３】
前記筐体に挟持されている前記基板の側面は摺動可能である、請求項９から１２のいずれか１項に記載の無線発信機。
【請求項１４】
前記筺体は、前記太陽電池の受光面を露出する開口部を有し、
前記開口部の開口面積は、前記太陽電池の前記受光面の受光面積よりも大きく、前記基板の面積よりも小さい、請求項９から請求項１３のいずれか１項に記載の無線発信機。
【請求項１５】
前記アンテナは、その長手方向が前記基板の縁と平行になるように配置される、請求項
９に記載の無線発信機。
【請求項１６】
前記基板の主面には、前記アンテナとは逆の端部に前記太陽電池と電気的に接続した第１の入力端子および第２の入力端子が設けられる、請求項９または１０に記載の無線発信機。
【請求項１７】
さらに、前記基板の主面に設けられ、前記太陽電池と電気的に接続した第１の入力端子および第２の入力端子とを備え、
前記基板の裏面のうち、少なくとも前記第１の入力端子および第２の入力端子の反対側に位置する部分にフラットな面が形成されている、請求項９または１０に記載の無線発信機。
【請求項１８】
前記太陽電池は、
前記第１の入力端子と対向する第１の出力端子と、
前記第２の入力端子と対向する第２の出力端子とを備え、
前記第１の出力端子と前記第２の出力端子が同じ面に設けられる、請求項１６または１７に記載の無線発信機。
【発明の詳細な説明】
【技術分野】
【０００１】
本開示は、太陽電池を搭載した太陽電池ユニットの技術に関する。
【背景技術】
【０００２】
従来から、太陽電池や通信アンテナを搭載した太陽電池ユニットが知られている。たとえば、国際公報第２０１７／０１３９４０号パンフレット（特許文献１）には、通信装置が開示されている。特許文献１によると、照射光を受光する受光面を有する太陽電池と、上記受光面の裏面上に設置される蓄電デバイスと、通信用アンテナを有し、上記蓄電デバイスの上記太陽電池との対向面の裏面上に設置される回路基板と、を備える、通信装置が提供される。
【先行技術文献】
【特許文献】
【０００３】
【特許文献１】国際公報第２０１７／０１３９４０号パンフレット
【発明の概要】
【発明が解決しようとする課題】
【０００４】
本開示の目的は、通信用のアンテナが発する電波が太陽電池によって減衰されることを抑制する太陽電池ユニットを提供することにある。
【課題を解決するための手段】
【０００５】
本開示の一態様に従うと、基板と、基板の表面に取り付けられる太陽電池と、前記太陽電池から電力が供給され、基板の裏面に取り付けられるアンテナとを備え、アンテナは、表面視において、太陽電池のセルと重ならないように配置される、太陽電池ユニットを提供される。
【発明の効果】
【０００６】
以上のように、本開示によれば、通信用のアンテナから発信される電波が太陽電池によって減衰することを抑制できる、太陽電池ユニットが提供される。
【図面の簡単な説明】
【０００７】
【図１】第１の実施の形態にかかる太陽電池ユニット１００の全体構成を示す側面断面図である。
【図２】第１の実施の形態にかかる太陽電池ユニット１００の太陽電池１１０の受光面側を示す写真である。
【図３】（ａ）第１の実施の形態にかかる基板１２０の裏面を示す写真と（ｂ）第１の実施の形態にかかる太陽電池ユニット１００の基板１２０の受光面側の表面を示す写真である。
【図４】第１の実施形態にかかる太陽電池ユニット１００製造過程のうち、太陽電池１１０を基板１２０に積層する工程を示す図である。
【図５】第１の実施の形態にかかる太陽電池ユニット１００の側面を示す写真である。
【図６】第１の実施の形態にかかる太陽電池ユニット１００の通信モジュール１３０側の端部の側面を示す拡大写真である。
【図７】第１の実施の形態にかかる太陽電池ユニット１００における、太陽電池１１０のセル１１５，１１５・・・と通信モジュール１３０との位置関係を示す写真である。
【図８】第１の実施の形態にかかる基板１２０の表面と通信モジュール１３０とを示す写真である。
【図９】第２の実施の形態にかかる太陽電池１１０の第１のガラス基板１１１と第２のガラス基板１１２とを示す裏面図である。
【図１０】第２の実施の形態にかかる太陽電池１１０の第１のガラス基板１１１と第２のガラス基板１１２と基板１２０とを示す側面図である。
【図１１】第４の実施の形態にかかる無線発信機３００の正面図である。
【図１２】第４の実施の形態にかかる無線発信機３００の背面図である。
【図１３】第４の実施の形態にかかる無線発信機３００の側面図である。
【図１４】図１１におけるＡ−Ａ’断面図である。
【図１５】図１１におけるＢ−Ｂ’断面図である。
【図１６】図１１におけるＣ−Ｃ’断面図である。
【図１７】図１１におけるＤ−Ｄ’断面図である。
【図１８】第５の実施の形態における無線発信機３００のＢ−Ｂ’断面図である。
【図１９】第６の実施の形態にかかる無線発信機３００の正面図である。
【図２０】第７の実施の形態における無線発信機３００のＡ−Ａ’断面図である。
【図２１】第７の実施の形態における無線発信機３００の落下時の態勢を示すイメージ図である。
【図２２】第９の実施形態における無線発信機３００のＢ−Ｂ’断面図である。
【発明を実施するための形態】
【０００８】
以下、図面を参照しつつ、本開示の実施の形態について説明する。以下の説明では、同一の部品には同一の符号を付してある。それらの名称および機能も同じである。したがって、それらについての詳細な説明は繰り返さない。
＜第１の実施の形態＞
＜太陽電池ユニット１００の全体構成＞
【０００９】
本実施の形態にかかる太陽電池ユニット１００の全体構成について説明する。図１から図３を参照して、本実施の形態にかかる太陽電池ユニット１００は、主に、太陽電池１１０と、基板１２０と、通信モジュール１３０とを含む。太陽電池１１０で発電した電力を溜めるコンデンサ、制御ＩＣなどの電子部品をさらに含んでいてもよい。太陽電池１１０は、基板１２０の表面に取り付けられる。通信モジュール１３０は、基板１２０の裏面に取り付けられる。
【００１０】
本実施の形態にかかる太陽電池ユニット１００は、太陽電池１１０で生み出した電力を利用して、通信デバイス１３３およびアンテナ１３２を含む通信モジュール１３０によって各種の通信を行うものである。たとえば、太陽電池１１０として色素増感太陽電池を利用し、通信モジュール１３０としてビーコンを利用することによって、屋内のライトからの光によって発電しながら、ビーコンの電波を定期的に発することができる。これによって、ビーコンの電波を受信する携帯電話などの端末が自身の位置を正確に取得したり、サーバなどで端末の位置を正確に取得したりすることができる。
【００１１】
より詳細には、太陽電池１１０は、受光面となる第１のガラス基板１１１と、第２のガラス基板１１２とを含む。第１のガラス基板１１１の、第２のガラス基板１１２側には、透明導電膜が形成されている。そして、第２のガラス基板１１２の、図２におけるＹ方向の端部かつＸ方向の端部、に切り欠き部１１２Ｘ，１１２Ｙが形成される。そして、第１のガラス基板１１１の透明導電膜の切り欠き部１１２Ｙがマイナス極出力端子１１３（第１の出力端子）となり、切り欠き部分１１２Ｘがプラス極出力端子１１４（第２の出力端子）となる。つまり、太陽電池１１０の裏面、すなわち基板１２０側に、マイナス極出力端子１１３とプラス極出力端子１１４とが形成される。
【００１２】
なお、第１のガラス基板１１１は透明な基板であれば特に材料は限定されず、ガラスの代わりにフィルムであってもよい。第２のガラス基板１１２は、透明ではない基板で代用できる。
【００１３】
なお、本実施の形態においては、太陽電池１１０は、モノリシック型の色素増感太陽電池である。図２に示すように、太陽電池１１０の受光面側の表面視において、複数の縦長のセル１１５，１１５・・・が短手方向に並べて配置されるものである。より詳細には、本実施の形態にかかる太陽電池１１０は、０．６ボルトの起電力を有するセル１１５を、５個直列につないで、全体的に３ボルトの出力を有する。
【００１４】
図３（ｂ）に示すように、基板１２０の表面には、太陽電池１１０を載置するためのエリア２１０があり、太陽電池１１０のマイナス極出力端子１１３に対向する位置にマイナス極入力端子１２３（第１の入力端子）が取り付けられ、太陽電池１１０のプラス極出力端子１１４に対向する位置にプラス極入力端子１２４（第２の入力端子）が取り付けられる。
【００１５】
そして特に、本実施の形態においては、図３（ａ）に示すように、基板１２０の裏側においては、通信モジュール１３０と離れた反対側に電子部品などが実装されていないフラットなエリア１２１が形成されている。本実施の形態においては、基板１２０のうちの、マイナス極入力端子１２３側およびプラス極入力端子１２４側のエリアの裏側部分、すなわち通信モジュール１３０から離れたエリアがフラットに形成されている。
【００１６】
なお、フラットなエリア１２１は、基板１２０の端部を含み、基板１２０全体の１／３以上のまとまったエリアであることが好ましい。換言すれば、通信モジュール１３０のアンテナ１３２が配置されている端部から、それとは逆の端部までの距離をＡｍｍとすると、当該逆の端部からＡｍｍの１／３以上離れた位置までをフラットにしておくことが好ましい。
【００１７】
なお、フラットの程度は、１μｍや１ｎｍ程度までフラットにする必要はなく、基板１２０の大きさ、たとえばＡｍｍに対して、１／１０未満の凹凸、より好ましくは１／２０未満の凹凸であればよい。これによって、図４に示すように、当該フラットなエリア１２１を下にして基板１２０をフラットな台２００に載置することによって、基板１２０を安定して保持することができ、基板１２０の表面に対する作業性を向上させることができる。
【００１８】
より詳細には、対象となるエリアに大きな凹凸があったとしても、凸部同士の表面の高さが同程度であればよく、当該エリアを下にして基板１２０をフラットな台に載置することによって、基板１２０を安定して保持することができ、基板１２０の表面に対する作業性を向上させることができる。
【００１９】
さらに、本実施の形態においては、マイナス極入力端子１２３およびプラス極入力端子１２４と、通信モジュール１３０と、が図２におけるＹ方向に関して、互いに基板１２０の逆側に配置される。そして、図５〜図８に示すように、太陽電池１１０のセル１１５，１１５・・・が、基板１２０に対して、マイナス極入力端子１２３やプラス極入力端子１２４の方に寄っている。より詳細には、太陽電池１１０のセル１１５，１１５・・・が、通信モジュール１３０のアンテナ１３２まで延設されないように構成されている。換言すれば、通信モジュール１３０のアンテナ１３２が、基板１２０の表面において太陽電池１１０が積層されておらず、基板１２０の非導体部分１２７に位置するように構成されている。非導体部分１２７とは、図６が示すように、太陽電池１１０の縁から基板１２０が最短距離で距離Ｌだけ突出した部分を指す。基板１２０の太陽電池１１０の縁から突出した部分の裏面に通信用のアンテナ１３２が配されている。なお、図８が示すように、基板１２０の非導体部１２７において、通信用のアンテナ１３２以外に導電性材料が配されないことが好ましい。これによって、太陽電池１１０による、通信モジュール１３０の通信に対する妨害を低減することができる。
【００２０】
また、太陽電池１１０と通信モジュール１３０はマイナス極入力端子１２３およびプラス極入力端子１２４から配された基板１２０内部の導線（不図示）を通して電気的に接続される。つまり、マイナス極入力端子１２３およびプラス極入力端子１２４から配され基板１２０内部の導線は、基板１２０の裏面におけるフラットなエリア１２１において露出しないことが好ましい。基板１２０の裏面にフラットなエリア１２１は導線を覆う樹脂で形成されていてもよい。
【００２１】
また本実施の形態においては、通信モジュール１３０は方形形状であり、通信モジュール１３０のアンテナ１３２の長手方向が、基板１２０の縁と平行に構成されている。換言すれば、通信モジュール１３０は、アンテナ１３２が基板１２０からはみ出ることなく基板１２０内に収まるように実装されている。このため剛性が弱いアンテナ１３２の破損を防止することができる。
【００２２】
ただし、アンテナ１３２の全部または一部が、基板１２０の縁に平行に、基板１２０の縁に沿うように構成されてもよい。つまりアンテナ１３２の長尺部分が、基板１２０の縁に平行に配置されることが好ましい。
＜第２の実施の形態＞
【００２３】
上記の実施の形態に加えて、第２のガラス基板１１２は、切り欠き部１１２Ｘ，１１２Ｙだけでなく、端部全体が切りかかれていてもよい。すなわち、図９および図１０に示すように、第１のガラス基板１１１と第２のガラス基板１１２とが、第２のガラス基板１１２の縁が第１のガラス基板１１１の縁よりも内側にオフセットするように張り付けられてもよい。
【００２４】
より詳細には、本実施の形態にかかる太陽電池ユニット１００に関しては、第１のガラス基板１１１と第２のガラス基板１１２とを貼り合わせた後に、上記のように両者のズレた部分から第１のガラス基板１１１と第２のガラス基板１１２との間に電解液を注入する。そして、電解液の注入口をふさぐように、第１のガラス基板１１１の裏面と第２のガラス基板１１２の側面に紫外線硬化性樹脂１１６を塗布する。このとき、切り欠き部１１２Ｘ，１１２Ｙには、紫外線硬化性樹脂１１６を塗布しない。
【００２５】
そして、紫外線硬化性樹脂１１６が固まると、紫外線硬化性樹脂１１６が第２のガラス基板１１２の表面よりも基板１２０側に飛び出さないように、紫外線硬化性樹脂１１６の表面を斜めに削り落とす。これによって、太陽電池１１０の端部と基板１２０の端部との間に隙間が生じ、入力端子１２３、１２４が第２のガラス基板１１２の切り欠き部１１２Ｘ、１１２Ｙにはめ込むことが容易になるため、太陽電池ユニット１００を組み立てる際、作業性が向上する。
＜第３の実施の形態＞
【００２６】
上記の実施の形態においては、色素増感太陽電池１１０に関して説明を行ったが、他の種類の太陽電池であってもよい。また、上記の実施の形態においては、基板１２０のうちの、太陽電池１１０のセル１１５，１１５・・・の長手方向の一端に通信モジュール１３０を配置し、太陽電池１１０のセル１１５，１１５・・・の長手方向の他端にマイナス極入力端子１２３およびプラス極入力端子１２４を配置したが、太陽電池１１０のセル１１５，１１５・・・の短手方向の一端に通信モジュール１３０を配置し、太陽電池１１０のセル１１５，１１５・・・の短手方向の他端にマイナス極入力端子１２３およびプラス極入力端子１２４を配置してもよい。
＜第４の実施の形態＞
【００２７】
第４の実施の形態にかかる太陽電池ユニット１００を備えた無線発信機３００の全体構成について説明する。図１１は、第４の実施の形態にかかる無線発信機３００の正面図である。図１２は、第４の実施の形態にかかる無線発信機３００の背面図である。図１３は、第４の実施の形態にかかる無線発信機３００の側面図である。図１４は、図１１におけるＡ−Ａ’断面図である。図１５は、図１１におけるＢ−Ｂ’断面図である。図１６は、図１１におけるＣ−Ｃ’断面図である。図１７は、図１１におけるＤ−Ｄ’断面図である。なお、以下では、図１１における上方を無線発信機３００の上方といい、図１１における下方を無線発信機３００の下方といい、図１１における右方を無線発信機３００の右方といい、図１１における左方を無線発信機３００の左方といい、図１１における紙面の手前側を無線発信機３００の前方といい、図１１における紙面の奥側を無線発信機３００の後方という。
【００２８】
本実施の形態にかかる無線発信機３００は、太陽電池ユニット１００と、その一部を覆う筐体３１０とを含む。太陽電池ユニット１００に備えられた太陽電池１１０は、筐体３１０の外から外光が入射できるように配置される。また、無線発信機３００は、図示しない取り付け具を備え、壁面や天井などに取り付けて使用する。
【００２９】
本実施の形態においては、筐体３１０は、無線発信機３００が取り付けられていた壁面から落下した際に、基板１２０や太陽電池１１０が受ける衝撃を低減するために、弾性部材によって形成されている。たとえば、プラスチックやゴムなどの樹脂によって形成される。
【００３０】
特に本実施の形態にかかる無線発信機３００は、筐体３１０によって、筐体３１０の内側に、通信デバイス１３３が実装された基板１２０や太陽電池１１０が保持されつつ、太陽電池１１０のセル１１５，１１５・・・は筐体３１０で覆われずに外部の光を受光しやすく構成されている。
【００３１】
より詳細には、筐体３１０は、正面側のパーツ３１０ａと、裏面側のパーツ３１０ｃとを含む。正面側のパーツ３１０ａと、裏面側のパーツ３１０ｃとは、ねじ等で互いに連結されている。
【００３２】
そして、正面側のパーツ３１０ａには、太陽電池１１０が位置する部分に開口部３１０ｘが形成される。正面視において、開口部３１０ｘの面積は、基板１２０の面積よりも小さいが、太陽電池１１０の面積よりも大きいことが好ましい。ただし、開口部３１０ｘの面積は、太陽電池１１０の面積よりも小さくて、セル１１５，１１５・・・が配置されるエリアよりも大きい構成であってもよい。
【００３３】
本実施の形態においては、正面側のパーツ３１０ａと裏面側のパーツ３１０ｃとを開いた状態で、基板１２０と太陽電池１１０の基板１２０側を裏面側のパーツ３１０ｃに接触させる。この状態で、正面側のパーツ３１０ａと裏面側のパーツ３１０ｃとを閉じると、基板１２０と太陽電池１１０が、正面側のパーツ３１０ａと裏面側のパーツ３１０ｃとに挟み込まれる。本実施の形態においては、この状態において、基板１２０の左右側面が、筐体３１０の内側の左右壁面３１０ｅ，３１０ｅによって挟持される。
【００３４】
つまり、基板１２０が、左右方向から筐体３１０に挟まれることによって、基板１２０は筐体３１０の内側で下方へ落ち込まないように支持される。なお、この状態において、基板１２０の他の部分や、太陽電池１１０などが、筐体３１０に接触しないことが好ましい。これによって、仮に、壁や柱や天井などに取り付けられた無線発信機３００が落下しても、基板１２０や太陽電池１１０が筐体３１０にぶつかって損傷する可能性を低減することができる。
【００３５】
基板１２０の左右側面が筐体３１０の内側の左右壁面３１０ｅ，３１０ｅによって挟持された状態であっても、基板１２０が損傷しない程度の力を与えることによって、基板１２０の左右側面が左右壁面３１０ｅ，３１０ｅに対してスライドすることが好ましい。このとき、図１１に示す上下方向において、基板１２０と筐体３１０の内壁との間に、基板１２０がスライドすることを許容するための空間があることが好ましい。
【００３６】
なお、本実施の形態においては、基板１２０の上下側面が筐体３１０には接触しない位置に保持されるように、基板１２０の左右側面を筐体３１０の内側の左右壁面３１０ｅ，３１０ｅによって挟持される。すなわち、基板１２０の左右側面以外の表面と筐体３１０の内壁面と間には隙間すなわち空間が形成されるものである。しかしながら、基板１２０の上下側面もが筐体３１０の内側の内壁面に挟持される構成であってもよい。あるいは、基板１２０のうちの、上記の挟持箇所以外の１または複数の箇所が、直接的に、または間接的に、筐体３１０の内壁面に接触したり支持されたりしてもよい。
【００３７】
また、太陽電池１１０の前端部が、筐体３１０の前端部よりも後方に位置した状態で、基板１２０が筐体３１０に保持される。つまり、太陽電池１１０が、筐体３１０の内側に凹んだ状態で、筐体３１０に保持されることが好ましい。これによって、筐体３１０の表面側が床面などに接触しても、太陽電池１１０が床面に接触する可能性を低減することができる。
【００３８】
さらに本実施の形態においては、筐体３１０の表側のパーツ３１０ａは、内側部が、すなわち開口部３１０ｘ側の端部３１０ｂが、後方へ窪んでいる。換言すれば、筐体３１０の開口部３１０ｘ側の縁部が、開口部３１０ｘの中心に向かって凸形状に構成されている。これによって、太陽電池１１０が外部の物体に接触する可能性を低減することができる。
【００３９】
そして、筐体３１０の裏側のパーツ３１０ｃに関しては、正面視または背面視における中央部分３１０ｄが、正面視または背面視における周囲の部分よりも薄い形状に形成されている。
【００４０】
さらに本実施の形態においては、アンテナ１３２は、図１１に示す左右方向（第１方向）と直角に交差する上下方向（第２方向）において、基板１２０の下端（第１端）に近い位置配置されていることが好ましい。図１１に示す基板１２０の上下方向(第２方向)の長さをＷとした場合、アンテナ１３２は基板１２０の下端（第１端）から１／３Ｗ以下までの範囲に配置されていることが好ましく、基板１２０の下端（第１端）に沿って配置されていることがより好ましい。アンテナ１３２がより下端（第１端）に近い位置に配置されていることで、アンテナ１３２が発信する信号の信号強度が基板１２０の表面に取り付けられた太陽電池１１０によって減衰されることを抑制する。
【００４１】
さらに本実施の形態においては、基板１２０の左右側面３１０ｅ、３１０ｅによって挟持される基板１２０の側面の位置は、図１１に示すように基板１２０の上端(第２端)に近い位置であることが好ましい。基板１２０の左右側面、によって挟持される基板１２０の側面の位置は、基板１２０の上端（第２端）から１／２Ｗ以下までの範囲に位置されていることが好ましく、さらに上端から１／３Ｗ以下までの範囲に位置されていることがより好ましい。
＜第５の実施の形態＞
【００４２】
上記の実施の形態の構成に加えて、図１８に示すように、基板１２０と、筐体３１０との間に筐体３１０の素材よりも柔らかい弾性部材３１２を配置してもよい。これによって、無線発信機３００が落下した際に、基板１２０や太陽電池１１０が受ける衝撃をより低減することができる。なお、弾性部材３１２は、基板１２０の背面側に限らず、基板１２０や太陽電池１１０の下面や上面や側面などと筐体３１０の内壁面との間に配置されてもよい。
＜第６の実施の形態＞
【００４３】
上記の実施の形態の構成に加えて、図１９に示すように、筐体３１０の上端には、壁面取り付け部材が取り付けられることが好ましい。これによって、筐体３１０は、壁や柱の突起に容易に取り付けることができる。
【００４４】
より好ましくは、筐体３１０は、基板１２０のうちのアンテナ１３２側が下方に位置するように、基板１２０や太陽電池１１０を挟持することが好ましい。つまり、筐体３１０のうちの、アンテナ１３２とは遠い方の端部に壁面取り付け部材３４０が取り付けられることが好ましい。
＜第７の実施の形態＞
【００４５】
上記の実施の形態の構成に加えて、図２０に示すように、筐体３１０の内側には、その背面側に、重心調整部３５０、すなわち重りが取り付けられる。より詳細には、重心調整部３５０の重さは、基板１２０と太陽電池１１０の合計の重さの、１／３以上３／２以下であることが好ましい。
【００４６】
これによって、図２１に示すように、無線発信機３００が落下した際に、筐体３１０の背面が下側になる態勢となりやすく、太陽電池１１０の表面が床面に接触する可能性を低減することができる。
【００４７】
なお、重心調整部３５０は、筐体３１０の内側に限らず、筐体３１０の外側の背面付近に取り付けられてもよい。
【００４８】
また、重心調整部３５０は、筐体３１０の底面の一部に配置されてもよいし、筐体３１０の底面全体に幅広く配置されてもよいし、筐体３１０の底面の周囲に渡って配置されてもよい。
＜第８の実施の形態＞
【００４９】
上記の実施の形態においては、筐体３１０が表側のパーツ３１０ａと裏側のパーツ３１０ｃとが互いに折り曲げ可能に構成されるものであった。なお、表側のパーツ３１０ａと裏側のパーツ３１０ｃとは、表側のパーツ３１０ａの右部と裏側のパーツ３１０ｃの左部とが回動可能に連結されてもよいし、表側のパーツ３１０ａの左部と裏側のパーツ３１０ｃの右部とが回動可能に連結されてもよいし、表側のパーツ３１０ａの上部と裏側のパーツ３１０ｃの上部とが回動可能に連結されてもよいし、表側のパーツ３１０ａの下部と裏側のパーツ３１０ｃの下部とが回動可能に連結されてもよい。
【００５０】
あるいは、表側のパーツ３１０ａと裏側のパーツ３１０ｃとが正面から張り合わされてもよい。なお、表側のパーツ３１０ａと裏側のパーツ３１０ｃとは着脱自在に張り合わされてもよいし、接着剤などによって互いに固着されるものであってもよい。
＜第９の実施の形態＞
【００５１】
上記の実施の形態の構成に加えて、図２２に示すように、筐体３１０の開口部３０１ｘの側の端部３１０ｂが太陽電池１１０の縁を覆っていてもよい。つまり、筐体３１０の開口部３１０ｘの開口面積は、太陽電池１１０の基板よりも小さい。このような構成を有することで、開口部３１０ｘから筐体３１０内へ粉塵が混入することを防ぐことができる。
〔援用の記載〕
【００５２】
本願は、２０１８年７月２４日に出願された特願２０１８−１３８８４８、２０１８年７月２４日に出願された特願２０１８−１３８８４９および２０１８年７月２４日に出願された特願２０１８−１３８８５０号に基づく優先権を主張するものであり、これらの出願の開示内容の全てを本願に援用する。
【図１】
0006975859.tif 000002
【図２】
0006975859.tif 000003
【図３】
0006975859.tif 000004
【図４】
0006975859.tif 000005
【図５】
0006975859.tif 000006
【図６】
0006975859.tif 000007
【図７】
0006975859.tif 000008
【図８】
0006975859.tif 000009
【図９】
0006975859.tif 000010
【図１０】
0006975859.tif 000011
【図１１】
0006975859.tif 000012
【図１２】
0006975859.tif 000013
【図１３】
0006975859.tif 000014
【図１４】
0006975859.tif 000015
【図１５】
0006975859.tif 000016
【図１６】
0006975859.tif 000017
【図１７】
0006975859.tif 000018
【図１８】
0006975859.tif 000019
【図１９】
0006975859.tif 000020
【図２０】
0006975859.tif 000021
【図２１】
0006975859.tif 000022
【図２２】
0006975859.tif 000023